(57)【要約】放音部２ａより音声を出力するスピーカ部２と、スピーカ部２を収納可能な空間を備えたボックス部３と、電子機器本体１とボックス部３とを連結し、ボックス部３の移動を案内するボックスガイド部４とを備え、スピーカ部２から音声を出力する際に、スピーカ部２を収納した状態からスピーカ部２を露出させる状態へ、ボックスガイド部４によりボックス部３を移動させた場合に、放音部２ａからボックス部３内の空間に向かって音声を出力するようにすることにより、スピーカ部２を小型化しても、スピーカ部２の放音部２ａから出力された音声がボックス部３内の空間で共鳴するので、充分な音質の音声を出力することができ、ユーザは充分な音質にて音声を聴くことができる。【特許請求の範囲】
【請求項１】
音声信号を再生する電子機器本体と、
前記電子機器本体から再生される音声信号を音声に変換して放音部より出力するスピーカ部と、
前記スピーカ部を覆い、前記スピーカ部を収納可能な空間を備えたボックス部と、
前記電子機器本体と前記ボックス部とを連結し、前記ボックス部の移動を案内するボックスガイド部とを備え、
前記スピーカ部から音声を出力する際に、前記スピーカ部を覆った状態から前記スピーカ部を露出させる状態へ、前記ボックスガイド部により前記ボックス部を移動させた場合に、前記スピーカ部から前記ボックス部内の空間に向かって音声が出力されるように構成したことを特徴とするスピーカ付き電子機器。
【請求項２】
前記スピーカ部の放音部は、前記ボックス部内の空間を向いていることを特徴とする請求の範囲第１項に記載のスピーカ付き電子機器。
【請求項３】
前記電子機器本体はラジオ受信機を備え、前記ボックスガイド部は、前記電子機器本体にてラジオ放送を受信するためのアンテナであることを特徴とする請求の範囲第１項に記載のスピーカ付き電子機器。
【請求項４】
前記アンテナは複数存在し、前記電子機器本体は、前記複数のアンテナの中から前記ラジオ放送を良好に受信するアンテナを選択して使用することを特徴とする請求の範囲第３項に記載のスピーカ付き電子機器。
【請求項５】
音声信号を再生する電子機器本体と、
前記電子機器本体から再生される音声信号を音声に変換して放音部より出力するスピーカ部と、
前記スピーカ部を覆い、前記スピーカ部を収納可能な空間を備え、前記スピーカ部を収納した状態から前記スピーカ部を露出させる状態へと移動可能とし、前記スピーカ部を収納した状態で、前記スピーカ部の放音部に対向する位置に開口部を設けたボックス部とを備え、
前記スピーカ部及び前記ボックス部はその両方で一つの空間を形成しており、前記スピーカ部を覆った状態から前記スピーカ部を露出させる状態へ前記ボックス部を移動させた場合に、前記スピーカ部内の空間に出力された音声が前記ボックス部に設けた開口部から出力されるように構成したことを特徴とするスピーカ付き電子機器。
【発明の詳細な説明】
【技術分野】  本発明は、電子機器からの音声信号を外部に出力するためのスピーカが取り付けられたスピーカ付き電子機器に関するものである。
【背景技術】  従来、スピーカ付きのラジオやラジカセ、ＣＤシステム等の電子機器は小型化が進んでいる。小型化を実現することで、持ち運びが容易になったり、狭い室内等でも設置可能になったりしている。
スピーカ付き電子機器において、小型化を実現するために、電子機器の本体部に対してヒンジ等を使用して回動可能にスピーカ部を支持することが知られている（例えば特許文献１）。
［特許文献１］特開２００２−２６１４６２号公報
しかしながら、特許文献１を含む従来の技術では、電子機器の本体と共に、スピーカ部も小型化されることから、充分な音質を得ることができないという問題点があった。
【発明の開示】
本発明は、前述した問題を解決するために成されたものであり、スピーカ部を含む電子機器を小型化しつつ、電子機器より出力される音声が充分な音質を得られるようにすることを目的とする。
前述した課題を解決するために、本発明では、電子機器本体から再生される音声信号を音声に変換して放音部より出力するスピーカ部と、スピーカ部を覆い、スピーカ部を収納可能な空間を備えたボックス部と、電子機器本体とボックス部とを連結し、ボックス部の移動を案内するボックスガイド部とを備え、スピーカ部の放音部から音声を出力する際に、スピーカ部を収納した状態からスピーカ部を露出させる状態へ、ボックスガイド部によりボックス部を移動させ、ボックス部が移動した場合に、スピーカ部の放音部からボックス部内の空間に向かって音声が出力されるようにしている。
また、本発明の他の態様では、スピーカ部及びボックス部により一つの空間を形成し、ボックス部内にスピーカ部を収納した状態で、ボックス部は、スピーカ部の放音部に対向する位置に開口部を備えている。
上記のように構成したスピーカ付き電子機器は、電子機器を小型化してスピーカ部が小さくなっても、ボックス部を移動させることにより、スピーカ部の放音部から出力された音声がボックス部内の空間で共鳴するので、スピーカ部の放音部から出力される音声及びボックス部内の空間で共鳴する音声により、充分な音質の音声を出力することができ、ユーザは充分な音質にて音声を聴くことができる。
また、本発明の他の態様では、ボックス部内にスピーカ部を収納した状態でも、ボックス部に設けた開口部によってスピーカ部の放音部から出力された音声がある程度出力される。また、ボックス部を移動させることにより、ボックス部に設けた開口部が、放音部の裏面からスピーカ部内の空間に出力される音声を出力するバスレフポートとして機能するので、電子機器を小型化してスピーカ部が小さくなっても、スピーカ部の放音部の前面から出力される音声及びボックス部の開口部から出力される音声により、充分な音質の音声を出力することができ、ユーザは充分な音質にて音声を聴くことができる。
【図面の簡単な説明】  図１は、本実施形態によるスピーカ付き電子機器の構成例を示す図である。
図２は、本実施形態によるスピーカ付き電子機器の使用状態を示す図である。
図３は、本実施形態によるスピーカ付き電子機器の変形例を示す図である。
図４は、本実施形態によるスピーカ付き電子機器の変形例の使用状態を示す図である。
【発明を実施するための最良の形態】  以下、本発明の実施形態を図面に基づいて説明する。図１は、本実施形態によるスピーカ付き電子機器の構成例を示す図であり、図１（ａ）は本実施形態によるスピーカ付き電子機器の正面図、図１（ｂ）は本実施形態によるスピーカ付き電子機器の平面図である。また、図２は、本実施形態によるスピーカ付き電子機器の使用状態を示す図であり、図２（ａ）は本実施形態によるスピーカ付き電子機器の正面図、図２（ｂ）は本実施形態によるスピーカ付き電子機器の平面図である。
図１及び図２において、１は電子機器本体であり、ラジオ放送を受信するためのチューナやＣＤ等のディスクを再生するためのディスク再生装置、現在時刻情報を得るための時計等を備えて構成されている。２はスピーカ部であり、電子機器本体１にて受信したラジオ放送の音声信号や再生されたディスク等の音声信号を音声に変換し、放音部２ａより出力する。また、放音部２ａの表面は、それぞれ左右方向に傾いて設置されている。
３はボックス部であり、電子機器本体１側が開口された空間が内部に形成されている。また、ボックス部３は、内部の空間にスピーカ部２を収納可能である。４はボックスガイド部であり、電子機器本体１の左右側面に４本ずつ設けられた金属製の棒状部材により構成されている。
電子機器本体１とボックス部３とは、ボックスガイド部４によって連結されており、ボックス部３は、ボックスガイド部４の案内により、内部の空間に収納したスピーカ部２を露出するように移動する。ここで、ボックスガイド部４には、ボックス部３が電子機器本体１から所定の距離以上離れないように図示しない係止部材が設けられている。また、ボックスガイド部４を構成する金属製の棒状部材は、ロッドアンテナ等のアンテナであり、電子機器本体１内にてラジオ放送を受信する際のアンテナとして機能する。
５は表示部であり、電子機器本体１にてラジオ放送を受信する場合には、ラジオ放送のバンドの種類や受信周波数等を表示し、ＣＤ等のディスクを再生する場合には、再生中のトラック番号や再生時間等を表示する。また、表示部５には、電子機器本体１に内蔵された時計にて得られた現在時刻情報に基づいて現在時刻が表示されている。
６は操作部であり、ラジオ放送とディスク再生の切り替えや、ラジオ放送のバンドの切り替え、ラジオ放送の受信周波数の切り替え、ディスクの再生、再生中のトラックのスキップ、ディスクの停止、ボリューム等の操作を行うためのボタンが配置されている。７はディスクトレイであり、電子機器本体１内にＣＤ等のディスクを挿入するためのトレイである。
このように構成した本実施形態によるスピーカ付き電子機器は、図１に示す状態でもスピーカ部２の放音部２ａより音声を出力することは可能であるが、スピーカ部２がボックス部３により覆われているので、電子機器より出力される音声の音量は小さくなり、充分な音質も得られない。そこで図２に示すように、左右のボックス部３をボックスガイド部４の案内に従って移動させることにより、スピーカ部２を露出させる。スピーカ部２の放音部２ａの表面は左右に傾いて設置されているので、放音部２ａより出力された音声は、ボックス部３の内部の空間を経て電子機器本体１の前方に出力される。
以上、詳しく説明したように、本実施形態のスピーカ付き電子機器は、電子機器本体１からの音声信号を音声に変換して放音部２ａより出力するスピーカ部２と、スピーカ部２を覆い、スピーカ部２を収納可能な空間を備えたボックス部３と、電子機器本体１とボックス部３とを連結し、ボックス部３の移動を案内するボックスガイド部４とを備え、スピーカ部２から音声を出力する際に、スピーカ部２を収納した状態からスピーカ部２を露出させる状態へ、ボックスガイド部４によりボックス部３を移動させた場合に、放音部２ａからボックス部３内の空間に向かって音声が出力されるようにしているので、放音部２ａから出力された音声がボックス部３内の空間で共鳴する。従って、電子機器を小型化してスピーカ部２が小さくなっても、放音部２ａから出力される音声及びボックス部３内の空間で共嗚する音声により、充分な音質の音声を出力することができるので、ユーザは充分な音質にて音声を聴くことができる。
なお、前述した本実施形態では、スピーカ部２の放音部２ａの表面から出力された音声をボックス部３内の空間で共鳴させているが、これに限定されない。例えば、図３及び図４に示すように、スピーカ部１２及びボックス部１３が一つの空間を形成するようにして、スピーカ部１２がボックス部１３内に収納されたときに、ボックス部１３において放音部１２ａの表面に対向する位置に開口部１３ａを設けるようにしても良い。
図３は、本実施形態によるスピーカ付き電子機器の変形例を示す図であり、図３（ａ）は変形例のスピーカ付き電子機器の正面図、図３（ｂ）は変形例のスピーカ付き電子機器のＡ−Ａ´断面図である。また、図４は、本実施形態によるスピーカ付き電子機器の変形例の使用状態を示す図であり、図４（ａ）は変形例のスピーカ付き電子機器の正面図、図４（ｂ）は変形例のスピーカ付き電子機器のＡ−Ａ´断面図である。
このように構成した変形例のスピーカ付き電子機器では、ボックス部１３内にスピーカ部１２を収納した状態でも、ボックス部１３に設けた開口部１３ａによってスピーカ部１２の放音部１２ａの表面から出力された音声がある程度出力される。
また、ボックス部１３を左右に移動させた場合には、ボックス部１３に設けた開口部１３ａが、放音部１２ａの裏面からスピーカ部１２内の空間に出力される音声を出力するバスレフポーンとして機能する。これにより、電子機器を小型化してスピーカ部１２が小さくなっても、スピーカ部１２の放音部１２ａの表面から音声を出力し、スピーカ部１２の放音部１２ａの裏面から出力される音声を開口部１３ａから出力することにより、充分な音質の音声を出力することができ、ユーザは充分な音質にて音声を聴くことができる。
また、本実施形態では、ボックス部３の移動は手動にて行われているが、ボックス部３の移動を電動で行うようにしても良い。その場合、電子機器本体１に内蔵された時計によって得られる現在時刻情報に基づいて、現在時刻が所定の範囲内（例えば深夜や早朝を除く時間帯）にあると判断されたときに、ボックス部３がスピーカ部２を露出するように、ボックス部３を自動的に移動させるようにしても良い。これにより深夜や早朝などには、スピーカ部２の放音部２ａがボックス部３によって覆われるので、大音量の音声が出力されることを防止することができる。
また、本実施形態では、ボックスガイド部４を構成する８本の棒状部材をアンテナとしているが、これらの８本のアンテナの中から受信状態の良好なものを選択して使用するようにしても良い。
以上、本発明を実施するにあたっての具体化の例を示したが、本実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】  本発明は、小型のスピーカを搭載した電子機器に有用である。
【図１】
2005125268.tif 000002
【図２】
2005125268.tif 000003
【図３】
2005125268.tif 000004
【図４】
2005125268.tif 000005
【手続補正書】
【提出日】平成17年8月24日(2005.8.24)
【手続補正００１】
【補正対象書類名】特許請求の範囲
【補正対象項目名】特許請求の範囲
【補正方法】変更
【補正の内容】
【書類名】特許請求の範囲
【請求項１】音声信号を再生する電子機器本体と、
前記電子機器本体から再生される音声信号を音声に変換して放音部より出力するスピーカ部と、
前記スピーカ部を覆い、前記スピーカ部を収納可能な空間を備えたボックス部と、
前記電子機器本体と前記ボックス部とを連結し、前記ボックス部の移動を案内するボックスガイド部とを備え、
前記スピーカ部から音声を出力する際に、前記スピーカ部を覆った状態から前記スピーカ部を露出させる状態へ、前記ボックスガイド部により前記ボックス部を移動させた場合に、前記スピーカ部から前記ボックス部内の空間に向かって音声が出力されるように構成したことを特徴とするスピーカ付き電子機器。
【請求項２】前記スピーカ部の放音部は、前記ボックス部内の空間を向いていることを特徴とする請求の範囲第１項に記載のスピーカ付き電子機器。
【請求項３】前記電子機器本体はラジオ受信機を備え、前記ボックスガイド部は、前記電子機器本体にてラジオ放送を受信するためのアンテナであることを特徴とする請求の範囲第１項に記載のスピーカ付き電子機器。
【請求項４】前記アンテナは複数存在し、前記電子機器本体は、前記複数のアンテナの中から前記ラジオ放送を良好に受信するアンテナを選択して使用することを特徴とする請求の範囲第３項に記載のスピーカ付き電子機器。
【請求項５】（補正後）音声信号を再生する電子機器本体と、
前記電子機器本体から再生される音声信号を音声に変換して放音部より出力するスピーカ部と、
前記スピーカ部を覆い、前記スピーカ部を収納可能な空間を備え、前記スピーカ部を収納した状態から前記スピーカ部を露出させる状態へと移動可能とし、前記スピーカ部を収納した状態で、前記スピーカ部の放音部に対向する位置に開口部を設けたボックス部とを備え、
前記スピーカ部を覆った状態から前記スピーカ部を露出させる状態へ前記ボックス部を移動させた場合に、前記スピーカ部及び前記ボックス部はその両方で一つの空間を形成し、前記スピーカ部の表面から上記空間の外に音声が出力されると共に、前記スピーカ部の裏面から前記スピーカ部内の空間に出力された音声が前記ボックス部に設けた開口部から出力されるように構成したことを特徴とするスピーカ付き電子機器。
１１
【国際調査報告】
2005125268.tif 000006
2005125268.tif 000007
2005125268.tif 000008
2005125268.tif 000009